(57)【要約】      （修正有）【課題】電車やバスなどで吊革などを掴みながらまた鞄などを保持したままもう一方の片手で読書する場合、吊革や鞄などから手を離すことなく、読書する側の片手のみで本の頁を簡単にめくることができる、片手めくり具を提供する。【解決手段】親指に嵌めるリング１の外面へその外面から垂直に突出した突起材２を設け、該突起材にはその先端からほぼ直角に突出してやや尖った形状をなす隙間差込み部２ａを形成し、該隙間差込み部は突起材の突出方向に対して、左手の場合は角度が４５度程度左斜め上向き（右手の場合は右斜め上向き）となるよう突起材先端から突出しており、リングの内面へは弾性材３を外面へは滑り止め部４を設け、リングの始端と末端を着脱可能とする。【選択図】図６
0003151420.tif 000002
【実用新案登録請求の範囲】
【請求項１】
親指に嵌めることを目的としてリング１を形成し、該リング１の外面へその外面から垂直に突出した突起材２を設け、突起材２にはその先端からほぼ直角に突出してやや尖った形状をなす隙間差込み部２ａを形成し、該隙間差込み部２ａは突起材２の突出方向に対して、左手用の場合は角度が４５度程度左斜め上向き（右手用の場合は右斜め上向き）となるよう突起材２先端から突出し、リング１の内面へは弾性材３を外面へは滑り止め部４を設け、リング１の始端と末端を着脱可能とすることを特徴とする書物の頁の片手めくり具。
【考案の詳細な説明】
【技術分野】
【０００１】  本考案は、電車やバスなどでの混雑時などで座席がなく吊革などを掴み、また鞄などを保持している際に、もう一方の空いている片手で書物を保持しながら読書をしている場合においての、片手で頁をめくることのできる道具に関するものである。
【背景技術】
【０００２】  電車やバスなどの混雑時や座席がない時においては、立ったままの状態でどこにも寄りかかることもなく、吊革などを掴みまたは鞄などを保持したまま、もう一方の片手で書物を保持しながら読書をする場合、頁をめくる必要が生じた時には、吊革などを掴んでいるまたは鞄などを保持している手を離して頁をめくらねばならないことから、身体のバランスを崩してしまうか鞄などの処置に困り、読書が困難になるとともに混雑時には特に周りの乗客へ迷惑をかけることがあった。
しかし、従来の頁めくり具の一種である指サックは、頁を摩擦により滑らせることはできてもめくることは困難であり、書物を片手で保持したまま頁をめくるには不向きである。
【先行技術文献】
【特許文献】
【０００３】  書物の頁をめくる技術には従来下記のような文献がある。
【特許文献１】「冊子類及びその保持具」特開２００７−１５２５９３
【特許文献２】「ページめくり器」特開２００５−２１９４７３
【特許文献３】「人間感覚利用の早いページめくり方法と機構」特開２００８−２８４８６４
【特許文献４】「めくり用具」実全昭６１−１６６８７３
【特許文献５】「紙片めくり」特開平０７−０２５１８２
【特許文献６】「ページめくり」実全昭５１−０２１９４３
【０００４】  しかし、特許文献１及び２に開示される内容は書物の片手での保持は可能であるが、頁をめくるには簡単ではなく不十分であり、本考案とは構造も全く異なる。
また、特許文献３，４及び５に開示される内容は、書物を片手で保持はできてもその片手で頁をめくることは不可能であり構造も全く異なる。
更に特許文献６に開示される内容は、書物を片手で保持することは目的とはせず作用も構造も全く異なる。
【考案の概要】
【考案が解決しようとする課題】
【０００５】  上記のように身体のバランスを崩すことなく、また鞄などの処置に困ることもなく、読書中に片手での頁めくりが簡単にしかも完全にできる手段を提供することを課題とする。
【課題を解決するための手段】
【０００６】  上記課題を解決するために、書物の頁の片手めくり具は、親指に嵌めることを目的としてリング１を形成し、該リング１の外面へその外面から垂直に突出した突起材２を設け、突起材２にはその先端からほぼ直角に突出してやや尖った形状をなす隙間差込み部２ａを形成し、該隙間差込み部２ａは突起材２の突出方向に対して、左手用の場合は角度が４５度程度左斜め上向き（右手用の場合は右斜め上向き）となるよう突起材２先端から突出し、リング１の内面へは弾性材３を外面へは滑り止め部４を設け、リング１の始端と末端を着脱可能とすることを特徴とする。
【考案の効果】
【０００７】  本考案による片手めくり具を使えば、電車やバスなどでの混雑時や座席がない時において、立ったままの状態でどこにも寄りかかることもなく吊革などを掴みながら、また鞄などを保持しながら、もう一方の片手で読書をしている場合に、吊革などを掴んだ側の手を離すことなく、したがって身体のバランスを崩すことなく、また鞄などの処置に困ることなく安定した状態でしかも周りの乗客に迷惑をかけることもなく、読書側の手の親指のみで簡単にしかも完全に頁をめくることができる。
【図面の簡単な説明】
【０００８】
【図１】  片手めくり具の平面図である。
【図２】  片手めくり具の右側面図である。
【図３】  片手めくり具の左側面図である。
【図４】  片手めくり具の正面図である。
【図５】  片手めくり具の背面図である。
【図６】  片手めくり具の着脱可能部を開放した平面図である。
【図７】  片手めくり具を左手親指へ取り付け本を保持した状態図である。
【図８】  片手めくり具の隙間差込み部をめくる頁の隙間へ差し込んだ状態図である。
【図９】  片手めくり具で頁をめくる状態図である。
【図１０】  片手めくり具で頁をめくり終えた状態図である。
【考案を実施するための形態】
【０００９】  本考案の実施形態について図面に基づいて説明すれば、リング１の外面へその外面から垂直に突出した突起材２を設け、突起材２にはその先端からほぼ直角に突出してやや尖った形状をなす隙間差込み部２ａを形成し、隙間差込み部２ａは突起材２の突出方向に対して、左手用の場合は角度が４５度程度左斜め上向き（右手用の場合は右斜め上向き）となるよう突起材２先端から突出し、リング１の内面へは弾性材３を外面へは滑り止め部４を設け、リング１の始端部と末端部には着脱が可能となるよう着脱可能部５を設けたものである。
【実施例】
【００１０】  本考案の実施例を図面に基づいて説明する。実施例は左手で本を読書する場合を記すものとし、右手の場合の該めくり具は勝手反対とする。【００１１】  図１は片手めくり具の平面図を表し、片手めくり具はリング１、突起材２、弾性材３、滑り止め部４及び着脱可能部５から構成され、突起材２には隙間差込み部２ａを設けている。図６は片手めくり具の着脱可能部５を開放した状態を表し、親指の太さの人による違いを着脱可能部５で着時の位置調整ができる構造としている。【００１２】  次に片手めくり具の構成の説明をすると、リング１は親指へ嵌める部分であり内面には弾性材３が取り付けられ、リング１を親指に嵌めた時の圧迫感を除去するとともに、リング１と親指の間の滑り止めを目的としている。突起材２の先端にはめくる対象頁の右下隅に生じた隙間へ差し込む部分である隙間差込み部２ａを設け、隙間差込み部２ａは突起材２の突出方向に対して、角度が４５度程度左斜め上向きとなるよう突起材２先端から突出して形成されるとともにやや尖った形状をしている。リング１の外面には滑り止め部４を設け、親指で対象頁をめくる時の滑り止めとしている。着脱可能部５では、リング１の始端と末端が着脱可能となるよう両端または片端側へ着脱可能材を取り付け、人による親指の太さの違いを調節できるようにしている。【００１３】  図７は片手めくり具を左手親指へ取り付け本を開いて保持している状態を示し、その頁を読み終えて頁をめくる必要が生じた時、片手めくり具の滑り止め部４を頁面へ押し付けて摩擦により該頁を右方へ移動させることにより、図８に示すように該頁右下隅に隙間が生じ、その隙間へ片手めくり具の隙間差込み部２ａを差込み、図９に示すように頁の隙間を拡げるように親指を動かしてめくると該頁を開くことができる。【００１４】  図１０は片手めくり具で該頁をめくり終えた状態を示しており、隙間差込み部２ａを利用してめくり終えた頁が元へ戻らないように、頁面を抑えておくことも可能であることを示している。頁をめくり終えると図７に示すような保持状態へ簡単に戻ることが可能である
【符号の説明】
【００１５】１  リング
２  突起材
２ａ隙間差込み部
３  弾性材
４  滑り止め部
５  着脱可能部
【図１】
0003151420.tif 000003
【図２】
0003151420.tif 000004
【図３】
0003151420.tif 000005
【図４】
0003151420.tif 000006
【図５】
0003151420.tif 000007
【図６】
0003151420.tif 000008
【図７】
0003151420.tif 000009
【図８】
0003151420.tif 000010
【図９】
0003151420.tif 000011
【図１０】
0003151420.tif 000012
【手続補正書】
【提出日】平成21年3月24日(2009.3.24)
【手続補正１】
【補正対象書類名】実用新案登録請求の範囲
【補正対象項目名】全文
【補正方法】変更
【補正の内容】
【実用新案登録請求の範囲】
【請求項１】
親指に嵌めることを目的としてリング１を形成し、該リング１の外面へその外面から垂直に突出した突起材２を設け、突起材２にはその先端からほぼ直角に突出してやや尖った形状をなす隙間差込み部２ａを形成し、該隙間差込み部２ａは突起材２の突出方向に対して、左手用の場合は角度４５度程度左斜め上向きとなるよう、また、右手用の場合は角度４５度程度右斜め上向きとなるよう突起材２先端から突出し、リング１の内面へは弾性材３を外面へは滑り止め部４を設け、リング１の始端と末端を着脱可能とすることを特徴とする書物の頁の片手めくり具。